(57)【要約】【課題】簡単な構造でかつ確実に、ケーブルの電線から被覆材を分離することができるケーブル被覆材分離装置を提供する。【解決手段】上部回転刃１２及び下部回転刃１４と、回転刃１２，１４の対向位置よりも上流側に位置し、ケーブルＣを案内するためのガイドカバー３６と、回転刃１２，１４の対向位置よりも下流側に位置し、回転刃１２，１４を通過したケーブルＣを案内するためのガイド板３８と、を備え、ガイドカバー３６及びガイド板３８は、上流側にむかって回転刃１２，１４の対向位置から離れる方向に傾斜した傾斜面を有し、ガイドカバー３６とガイド板３８との間には、ケーブルＣを把持する一対のガイドローラ３９が設けられ、ガイドローラ３９は、移動するケーブルＣとの接触により回転するように回転自在に設けられている。【選択図】図３
2016127689.tif 000002
【特許請求の範囲】
【請求項１】
刃が互いに対向して配置された一対の回転刃と、
前記回転刃の対向位置よりも上流側に位置し、前記ケーブルを案内するためのガイドカバーと、
前記回転刃の対向位置よりも下流側に位置し、前記回転刃を通過した前記ケーブルを案内するためのガイド板と、を備え、
前記ガイドカバー及び前記ガイド板は、上流側にむかって前記回転刃の対向位置から離れる方向に傾斜した傾斜面を有し、
前記ガイドカバーと前記ガイド板との間には、前記ケーブルを把持する一対のガイドローラが設けられ、前記ガイドローラは、移動する前記ケーブルとの接触により回転するように回転自在に設けられている、
ことを特徴とするケーブル被覆材分離装置。
【請求項２】
前記回転刃の下流側に位置し、前記回転刃によって切られた前記ケーブルの被覆材の切り込み部分を押し広げるためのさばき部を有する、
請求項１に記載のケーブル被覆材分離装置。
【請求項３】
前記ガイド板の上流側端部は、少なくとも一部が前記さばき部よりも上流側に位置している、請求項２に記載のケーブル被覆材分離装置。
【請求項４】
前記ガイドカバー及び前記ガイド板の少なくとも一方の前記傾斜面は、平面である、請求項１から請求項３のいずれか１項に記載のケーブル被覆材分離装置。
【発明の詳細な説明】
【技術分野】
【０００１】
本発明は、ケーブルの銅線周りに被覆されている被覆材をケーブルから除去して銅線と被覆材とを分離するためのケーブル被覆材分離装置に関する。
【背景技術】
【０００２】
電気配線工事等で余ったケーブルは、ケーブルの銅線部分とケーブルの周りの被覆材とを分離してリサイクルされる。ケーブルから被覆材を剥くためのケーブル被覆材分離装置としては、例えば特許文献１及び２に記載のものがある。特許文献１に記載のケーブル被覆材分離装置では、上下の回転刃がそれぞれ２つ設けられており、これらの回転刃は、上ローラ及び下ローラに取り付けられている。ケーブルは、上ローラ及び下ローラの回転によって下流側へ送られながら、回転刃によって切られる。このケーブル被覆材分離装置には、ケーブルガイド装置が設けられており、回転刃に入るケーブルを案内するようになっている。
【０００３】
また、特許文献２に記載のケーブル被覆材分離装置では、上下の回転刃の間にケーブルを挿入し、ケーブルに切り込みを入れるようになっており、回転刃の左右両側にはローラが設けられ、ローラによってケーブルを挟むようになっている。ローラは、モータによって回転駆動され、ローラの回転により把持したケーブルを積極的に下流側に送り出す。
【先行技術文献】
【特許文献】
【０００４】
【特許文献１】特許第３９９９６３２号公報
【特許文献２】特開平８−６５８５０号公報
【発明の概要】
【発明が解決しようとする課題】
【０００５】
ところで、ケーブルの被覆材には様々な材質があり、例えばゴムのような滑りにくい材料で構成されていることがある。また、ケーブルはしばしばコイル状に巻かれて保管され、引き出した状態では湾曲している場合がある。このような場合、滑りにくい材質で作られたケーブルの被覆材が周囲の部材と接触する際に滑らなかったり、湾曲したケーブルが周囲の部材と干渉して移動が妨げられる可能性がある。
上記特許文献１に記載のケーブル被覆材分離装置では、上記のような場合、ケーブルの抵抗が大きすぎると、回転刃の回転によってケーブルを下流側に送り出すことができなくなる。また、上記特許文献２に記載のケーブル被覆材分離装置においても、ケーブルの抵抗が大きすぎると、上ローラ及び下ローラの回転によってケーブルを送ることができなくなる。あるいは、これを解決するために上ローラ及び下ローラの駆動力を大きくする必要がある。
【０００６】
本発明は、簡単な構造でかつ確実に、ケーブルを搬送して、ケーブルの電線から被覆材を分離することができるケーブル被覆材分離装置を提供することにある。
【課題を解決するための手段】
【０００７】
本発明の第１の観点に係るケーブル被覆材分離装置は、刃が互いに対向して配置された一対の回転刃と、回転刃の対向位置よりも上流側に位置し、ケーブルを案内するためのガイドカバーと、回転刃の対向位置よりも下流側に位置し、回転刃を通過したケーブルを案内するためのガイド板と、を備え、ガイドカバー及びガイド板は、上流側にむかって回転刃の対向位置から離れる方向に傾斜した傾斜面を有し、ガイドカバーとガイド板との間には、ケーブルを把持するための一対のガイドローラが設けられ、ガイドローラは、移動するケーブルとの接触により回転するように回転自在に設けられている、ことを特徴としている。
【０００８】
本発明においては、ガイドカバーによって案内されたケーブルが、一対の回転刃の間に供給されると、回転刃はケーブルの被覆材を切りながらケーブルを下流側に送り込む。このとき、ガイドローラは、ケーブルとの接触によって回転し、ケーブルを下流側に案内する。被覆材が切られたケーブルは、その後、ガイド板によって案内されながらさらに下流側に搬送される。
本発明に係るケーブル被覆材分離装置によれば、回転刃の対向位置よりも上流側にガイドカバー、下流側にガイド板が設けられ、これらのガイドカバー及びガイド板が上流側にむかって回転刃の対向位置から離れる方向に傾斜している。このため、滑りにくい材質の被覆材を有するケーブルや、湾曲したケーブルの被覆材を切る際にも、ガイドカバーやガイド板がケーブルの動きを妨げることなく、ケーブルに余計な力がかからずにケーブルを搬送することが可能となる。
また、本発明によれば、一対のガイドローラが設けられているので、ケーブルを搬送する際の周囲の部材との接触抵抗を低減することができ、ケーブルのより確実な搬送が可能となる。また、ガイドカバー、ガイド板及びガイドローラによってケーブルの動きが妨げられないので、回転刃の回転によってケーブルを下流側に搬送することができる。本発明では、一対のガイドローラが移動するケーブルとの接触により回転するように回転自在に設けられているので、ガイドローラを駆動手段によって駆動せず、簡単な構造で且つ確実にケーブルを搬送することが可能になる。
【０００９】
また、本発明の実施の形態では、回転刃の下流側に位置し、回転刃によって切られたケーブルの被覆材の切り込み部分を押し広げるためのさばき部を有することが好ましい。
この発明の実施の形態においては、回転刃によって被覆材が切られたケーブルは、回転刃の下流側に位置するさばき部によって切り込み部分が押し広げられる。
本発明の実施の形態に係るケーブル被覆材分離装置によれば、回転刃の下流側にさばき部が設けられているので、回転刃で切られた被覆材の切り込み部分を押し広げることができる。したがって、被覆材がケーブル中心の電線から剥がれやすくなり、被覆材が電線から分離しやすくなる。
【００１０】
また、特に回転刃の対向位置からさばき部に近接する方向にケーブルが湾曲している場合、湾曲したケーブルが回転刃の対向位置を通過した後、ケーブルがさばき部を通る際にさばき部材にかかる負荷が大きくなり、ケーブルの移動が止まってしまうことが考えられる。本発明では、回転刃の下流側にはガイド板が設けられ、このガイド板が上流側に向かって回転刃の対向位置から離れる方向に傾斜した傾斜面を有しているので、回転刃で被覆材が切られたあと、さばき部を通過したケーブルはガイド板によって案内されることにより、ケーブルがさばき部材につっかかることなく確実に下流側に移動する。
【００１１】
また、本発明の実施の形態では、ガイド板の上流側端部は、少なくとも一部がさばき部よりも上流側に位置していることが好ましい。
この実施の形態においては、ガイド板の上流側端部は少なくとも一部がさばき部よりも上流側に位置しているので、回転刃の対向位置から下流側に移動したケーブルがガイド板によってさばき部よりも上流側で案内され、ケーブルの下流側への搬送が安定する。
【００１２】
さらに、本発明の別の実施の形態では、ガイドカバー及びガイド板の少なくとも一方の傾斜面は、平面であることが好ましい。
この別の実施の形態においては、ガイドカバー及びガイド板の少なくとも一方の傾斜面は、平面であるので、簡単な形状でケーブルを下流側に案内することが可能になる。
【図面の簡単な説明】
【００１３】
【図１】本発明の第一実施形態に係るケーブル被覆材分離装置の正面図である。
【図２】本発明の第一実施形態に係るケーブル被覆材分離装置の平面図である。
【図３】図２のＡ−Ａ線に沿った断面図である。
【図４】本発明の第一実施形態に係るケーブル被覆材分離装置の動作を示す断面図である。
【図５】本発明の第二実施形態に係るケーブル被覆材分離装置の平面図である。
【図６】図５のＢ−Ｂ線に沿った断面図である。
【図７】本発明の第二実施形態に係るケーブル被覆材分離装置の動作を示す断面図である。
【発明を実施するための形態】
【００１４】
以下、本発明の好ましい実施形態を添付図面を参照して説明する。なお、第二実施形態以降では、第一実施形態と同様の構成には、図面に第一実施形態と同一符号を付し、その説明を簡略化または省略する。
【００１５】
［第一実施形態］
図１は、本発明の第一実施形態に係るケーブル被覆材分離装置１の正面図であり、図２は、本発明の第一実施形態に係るケーブル被覆材分離装置１の平面図であり、図３は、図２のＡ−Ａ線に沿った断面図である。以下では、図１において上下方向をケーブル被覆材分離装置１の上下方向、図１の左右方向をケーブル被覆材分離装置１の左右方向、図２においてケーブル被覆材分離装置１の右側を上流側、左側を下流側として説明する。
【００１６】
これらの図１乃至図３に示すように、本発明の第一実施形態に係るケーブル被覆材分離装置１は、下部ヘッド６と、下部ヘッド６に固定された一対の支柱２と、支柱２に支持された上部ヘッド４と、これらの上部ヘッド４及び下部ヘッド６にそれぞれ回転可能に支持された上部回転軸８及び下部回転軸１０と、上部回転軸８及び下部回転軸１０にそれぞれ固定された一対の上部回転刃１２及び下部回転刃１４と、上部回転刃１２及び下部回転刃１４によって切られたケーブルＣ（図４）の被覆材の切り込み部分を押し広げるためのさばき部材１６と、ケーブルＣを上流側から下流側へ案内するための案内機構１８と、を備えている。
【００１７】
上部ヘッド４は、支柱２に対して上下方向にスライド可能に設けられており、移動機構２０のハンドル２２を操作することによって、上部ヘッド４の高さ位置を調整可能となっている。一方、下部ヘッド６は、設置面に固定されている。このような構造により、上部ヘッド４は、下部ヘッド６に対して近接離間する方向に移動可能となっている。
上部回転軸８及び下部回転軸１０は、互いに平行に、上部ヘッド４のスライド方向と直交する方向に配置され、軸受８Ａ、１０Ａにそれぞれ軸支されている。上部回転軸８及び下部回転軸１０の一端は、支柱２から突出しており、これらの端部にそれぞれ上部回転刃１２及び下部回転刃１４が固定されている。上部回転軸８及び下部回転軸１０の他端は、図示しない駆動機構に接続され、互いに反対方向に回転可能となっている。具体的には、上部回転軸８は図３において時計回りに、下部回転軸１０は図３において反時計回りに回転する。
上部回転刃１２及び下部回転刃１４は、円盤状に形成されて鉛直方向の同一平面上に位置し、その全周に刃が形成されている。上部回転刃１２及び下部回転刃１４の対向位置、即ち、上部回転刃１２の下縁部と下部回転刃１４の上縁部との間には、ケーブルＣが挿入される隙間Ｇ（図４）が形成される。
【００１８】
さばき部材１６は、上部回転刃１２及び下部回転刃１４の下流側に配置され、鉛直方向に且つ上部回転刃１２及び下部回転刃１４と同一平面上に配置された板状部材である。さばき部材１６の搬送方向略中央より下流側の下流側部分２４Ａの上縁は、上流側に向かって下方に傾斜している。一方、さばき部材１６の搬送方向略中央より上流側、つまり下流側部分２４Ａよりも上流側の上流側部分２４Ｂの上縁は、隣接する下流側部分２４Ａの上縁の高さよりも上方に突出している。このような形状により、さばき部材１６の上流側部分２４Ｂは、上方且つ上流側に突出するさばき部３２を構成する。さばき部３２の上流側の端部は、上流側に向かって先細りに形成された刃３３となっており、その先端は若干丸まっている。また、さばき部３２の上端３２Ａは、下部回転刃１４の最上端の高さ位置とほぼ同じ高さ位置に位置している。また、さばき部材１６の上流側の側縁２８には、下部回転刃１４に干渉しないように、円弧状の凹部３０が形成されている。
【００１９】
案内機構１８は、ケーブルＣを上部回転刃１２及び下部回転刃１４へ案内するためのガイドバー３４と、上部回転刃１２及び下部回転刃１４の対向位置よりも上流側に配置され、ガイドバー３４とともにケーブルＣを案内するためのガイドカバー３６と、上部回転刃１２と下部回転刃１４の対向位置よりも下流側に配置され、被覆材が切られたケーブルＣを案内するためのガイド板３８と、ガイドカバー３６及びガイド板３８の間に位置してケーブルＣを把持する一対のガイドローラ３９と、を有する。
【００２０】
ガイドバー３４は、上部回転刃１２及び下部回転刃１４の間の隙間Ｇの左右両側に一対設けられている。各ガイドバー３４は、上部回転刃１２及び下部回転刃１４の上流側からガイドローラ３９より上流側の位置まで、上部回転刃１２及び下部回転刃１４の平面とほぼ平行な向きに配置された棒状部材である。ガイドバー３４は、他方のガイドバー３４に対向する面が、下流側に向かって互いに近接するように傾斜している。これらのガイドバー３４は、それぞれ支持部材４０に固定されており、これらの支持部材４０は、移動機構４２によって互いに近接離間するようにスライド可能に設けられている。したがって、移動機構４２のハンドル４４を操作することにより、ガイドバー３４が近接離間する方向に移動するようになっている。
【００２１】
ガイドカバー３６は、一対のガイドバー３４の間の空間を覆うようにガイドバー３４の下方の位置で支持部材４０に固定された、一対の板状部材である。各ガイドカバー３６は、上流側の部分が、上流側に向かって下方に、即ち上流側に向かって隙間Ｇから離れる方向に傾斜した平坦な平面である傾斜面３６Ａとなっており、この傾斜面３６Ａの下流側に水平方向に延びる平坦面３６Ｂが形成されている。平坦面３６Ｂは、下部回転刃１４の最上端の高さ位置よりも下方の高さ位置に配置されている。ガイドカバー３６は、支持部材４０に固定されているので、ガイドバー３４と同様に互いに近接離間するように移動可能となっており、互いの端部が近づいた際には一方の端部が他方の端部に重なり合うように上下方向に配置されている。
【００２２】
ガイド板３８は、さばき部材１６の上縁に固定された板状部材で、さばき部材１６の設置平面に対して略垂直に配置されている。ガイド板３８は、下流側部分２４Ａの上縁の傾斜にしたがって、上流側に向かって下方に、即ち上流側に向かって、上部回転刃１２と下部回転刃１４との対向位置から離れる方向に平坦に傾斜した、平面である傾斜面となっている。ガイド板３８において、さばき部材１６のさばき部３２よりも上流側の部分には、上流側に向かって開口するスリット４６が形成され、このスリット４６内からさばき部３２が上方に突出している。換言すると、ガイド板３８は、さばき部３２の左右両側に延びている、つまり、ガイド板３８においてさばき部３２より上流側の部分は、左右に分割され、それらの上流端は、さばき部３２の上流端よりも下流側且つ下方に位置している。
【００２３】
ガイドローラ３９は、上部回転刃１２及び下部回転刃１４の間の隙間Ｇの左右両側にそれぞれ設けられている。ガイドローラ３９は、上下方向に延びる回転軸３９Ａを中心に回転可能に設けられており、これらの回転軸３９Ａは、ガイドバー３４から下流側に延びるブラケット３４Ａに固定されている。ガイドローラ３９には、ガイドローラ３９を回転するための駆動機構は設けられておらず、回転自在に設けられている。
【００２４】
図４は、本発明の第一実施形態に係るケーブル被覆材分離装置１の動作を示す断面図である。
ケーブル被覆材分離装置１に挿入されるケーブルＣは、内部に銅線Ｘを有し、その周りに被覆材Ｙが被覆されている。ケーブルＣの直径に合わせてハンドル２２を操作して移動機構２０を駆動し、上部回転刃１２と下部回転刃１４との間の隙間Ｇが、銅線Ｘの直径とほぼ同じとなるように、隙間Ｇの大きさを調整する。次に、ハンドル４４を操作して移動機構４２を駆動することによって、ガイドバー３４の間の距離が、ケーブルＣの直径とほぼ同じとなるように、距離を調整する。この際、ガイドカバー３６は、ガイドバー３４とともに支持部材４０に固定されているので、ガイドバー３４の移動とともにガイドカバー３６も互いに近接または離間する方向に移動する。また、ガイドローラ３９の回転軸３９Ａは、ブラケット３４Ａに固定されているので、ガイドバー３４の移動とともにガイドローラ３９も互いに近接離間する方向に移動する。
【００２５】
ケーブルＣを上流側からガイドカバー３６の上方でガイドバー３４の間に挿入すると、ケーブルＣがガイドバー３４によって案内されながら上部回転刃１２と下部回転刃１４との間に挿入される。上部回転刃１２及び下部回転刃１４は互いに反対方向に回転しているので、ケーブルＣの被覆材Ｙのみを切りながら、ケーブルＣを下流側に移動させる。このとき、ガイドローラ３９は、ケーブルＣを把持することで左右方向の位置決めを行い、ケーブルＣに接触することによって回転しながらケーブルＣを下流側に案内する。ケーブルＣは被覆材Ｙの上下部分が切られた状態で、さばき部材１６に搬送される。
【００２６】
被覆材Ｙの上下部分が切られた状態で、ケーブルＣがさばき部材１６まで搬送されると、さばき部３２の刃３３が、下部回転刃１４で切った被覆材Ｙの切り込み部分に挿入される。さばき部３２は、上流側に向かって先細りとなっている、つまり下流側にむかって幅が大きくなるので、ケーブルＣが下流側に搬送されるにしたがって切り込み部分がさばき部３２によって押し広げられる。これにより被覆材Ｙが銅線Ｘから剥離した状態で下流側に搬送される。
【００２７】
ここで、ケーブルＣはコイル状に巻かれて保管されていることがあり、その場合、ケーブルＣを繰り出すとケーブルＣが湾曲している場合がある。例えばケーブルＣが左右方向または上方向に向かって湾曲している場合には、ガイドバー３４やガイドローラ３９、上部回転刃１２及び下部回転刃１４がケーブルの湾曲をある程度矯正しながらケーブルＣの搬送及び被覆材Ｙの切り込みを行う。
一方、ケーブルＣが下方向に向かって湾曲した状態でケーブル被覆材分離装置１に挿入された場合、ガイドカバー３６の傾斜面３６ＡによってケーブルＣが下方から押されるのが回避される。一方で、上部回転刃１２及び下部回転刃１４を出たケーブルＣは、ガイド板３８によって下方に湾曲するのが防止される。
【００２８】
このように構成された本実施形態によれば、次のような優れた効果を得ることができる。
上部回転刃１２及び下部回転刃１４の左右両側にガイドバー３４を設けているので、ケーブルＣの中心軸を上部回転刃１２及び下部回転刃１４に合わせるようにケーブルＣを案内することができる。したがって、上部回転刃１２及び下部回転刃１４が、ケーブルＣの中心軸に沿って被覆材Ｙを適切な深さで切ることができる。
【００２９】
ガイドバー３４の下方にガイドカバー３６を設け、ガイドカバー３６が、上流側にむかって下方に傾斜する傾斜面３６Ａを有しているので、ケーブルＣが下方向に向かって湾曲した状態でケーブル被覆材分離装置１に挿入された場合、平らな台の上を移動する場合と比べて、ガイドカバー３６がケーブルＣを下方から押すのを抑制することができ、ケーブルＣをある程度下方に湾曲させたままとすることができる。したがって、ケーブルＣの移動時にケーブルＣに大きな負荷がかかるのを防止することができ、ケーブルＣをスムーズに搬送することができる。また、ガイドカバー３６が傾斜面３６Ａを有しているので、被覆材に滑りにくい材料を使用している場合でも、ケーブルＣがガイドカバー３６に引っかかりにくくなるから、ケーブルＣをスムーズに搬送することができる。
【００３０】
上部回転刃１２及び下部回転刃１４の下流側にさばき部材１６を設けたので、ケーブルＣの被覆材Ｙの切り込み部分が、さばき部３２によって押し広げられる。したがって、ケーブル被覆材分離装置１を出たケーブルＣの被覆材Ｙが銅線Ｘから分離しやすくなり、被覆材の除去作業を容易に行うことができる。
【００３１】
前述のように、ケーブルＣが下方向に湾曲した状態でケーブル被覆材分離装置１に挿入される場合、上部回転刃１２及び下部回転刃１４を通過したケーブルＣは、下方に移動する。このため、ケーブルＣが移動するにしたがって、さばき部３２に被覆材Ｙが突き刺さり、さばき部３２にかかる負荷が大きくなり、場合によってはケーブルＣがそれ以上移動できなくなってしまう。本実施形態では、上部回転刃１２及び下部回転刃１４の下流側にガイド板３８を設け、このガイド板３８を上流側に向かって下方に傾斜する傾斜面としたので、ケーブルＣが下方に湾曲しながら移動すると、ガイド板３８がケーブルＣを上方に押し上げるように案内する。したがって、さばき部３２にかかる負荷を軽減することができ、ケーブルＣがさばき部３２につっかかって移動できなくなってしまう不具合を防止することができる。また、被覆材に滑りにくい材料を使用している場合でも、ケーブルＣがガイド板３８に引っかかりにくくなるから、ケーブルＣをスムーズに搬送することができる。
【００３２】
ガイドカバー３６は、平坦な傾斜面３６Ａを有し、ガイド板３８は傾斜面を形成する板状部材となっているので、例えば湾曲面を有する構造に比べて、ガイドカバー３６及びガイド板３８を容易に製造することができる。
【００３３】
一対のガイドローラ３９が設けられているので、ガイドローラ３９が回転しながらケーブルＣを案内することでケーブルＣの搬送が妨げられるのを防止することができる。また、ガイドバー３４や、ガイドカバー３６、ガイド板３８、及びガイドローラ３９が、ケーブルＣの移動を妨げないので、ケーブルＣの移動に必要な力が低減し、上部回転刃１２及び下部回転刃１４の回転のみによってケーブルＣを下流側に移動させることができる。したがって、ガイドローラ３９を駆動機構によって回転駆動する必要がないから、ガイドローラ３９に駆動機構を設けず、ケーブルとの接触により回転するように回転自在とする構造とすることができる。したがって、簡単な構造でケーブルＣを確実に搬送することができる。
【００３４】
ガイド板３８の上流側の部分が、さばき部３２の上流端よりも上流側に位置しているので、上部回転刃１２及び下部回転刃１４を通過したケーブルＣを確実にさばき部３２まで案内することができる。
【００３５】
特に、多数の細い銅線Ｘがまとめられて被覆材Ｙで被覆されている場合、銅線Ｘが曲がりやすく、さばき部３２にからまってケーブルＣを搬送しにくい場合がある。本実施形態では、さばき部３２の刃３３が丸まっているので、ケーブルＣの銅線Ｘがさばき部３２にからまりにくく、ケーブルＣの搬送をスムーズに行うことができる。
【００３６】
［第二実施形態］
次に、本発明の第二実施形態に係るケーブル被覆材分離装置について説明する。本発明の第二実施形態に係るケーブル被覆材分離装置１００は、第一実施形態に係るケーブル被覆材分離装置１００と比較すると、さばき部が設けられていない点が異なる。
【００３７】
図５は、本発明の第二実施形態に係るケーブル被覆材分離装置１００の平面図である。図６は、図５のＢ−Ｂ線に沿った断面図である。図５及び図６に示すように、ケーブル被覆材分離装置１００には、ガイド板３８を支持する支持部材１０２が設けられているが、この支持部材１０２は、第一実施形態のさばき部材１６とは異なり、ガイド板３８から上方に突出するさばき部を有していない。
【００３８】
図７は、本発明の第二実施形態に係るケーブル被覆材分離装置１００の動作を示す断面図である。
ケーブル被覆材分離装置１００にケーブルＣが挿入されると、第一実施形態に係るケーブル被覆材分離装置１と同様に、ガイドバー３４、ガイドカバー３６、ガイドローラ３９、及びガイド板３８によってケーブルＣが案内される。第二実施形態ではさばき部が設けられていないので、上部回転刃１２及び下部回転刃１４によって被覆材Ｙが切られたケーブルＣは、そのままガイド板３８に案内されながら下流側に搬送される。
【００３９】
このように構成された本実施形態によれば、第一実施形態と同様の効果の他、次のような効果を得ることができる。
本実施形態では、さばき部が設けられていないが、その場合であっても、上流側に向かって下方に傾斜する傾斜面であるガイド板３８が、ケーブルＣを上方に押し上げるように案内する。したがって、ケーブルＣが下方に湾曲している場合であっても、ケーブルＣが周囲の部材に干渉して移動が妨げられることがなく、ガイド板３８がケーブルＣをスムーズに移動させることができる。
【００４０】
本発明は、以上の実施の形態に限定されることなく、特許請求の範囲に記載された発明の範囲内で種々の変更が可能であり、それらも本発明の範囲内に包含されるものであることはいうまでもない。
例えばガイド板は、前述の実施形態では上流側の部分が、さばき部よりも上流側に位置していたが、ガイド板の少なくとも一部がさばき部よりも上流側に位置していればよい。また、ガイド板は、必ずしも上流側端部がさばき部よりも上流側に位置している必要はなく、さばき部よりも下流側に位置していてもよい。
【００４１】
前述の実施形態では、ガイドカバー３６及びガイド板３８は、平坦な傾斜面を有していたが、これに限らず、例えば円弧状に湾曲した面を有して構成されていてもよい。要するに、ガイドカバー及びガイド板は、全体として上流側にむかって回転刃の対向位置から離れる方向に傾斜していればよい。
さばき部は、下方から上方に突出するように設けられ、下部回転刃によって切られた被覆材の切り込み部分を押し広げるように構成されていたが、これに限らず、例えばさばき部は上方から下方に突出するように設けられ、上部回転刃によって切られた被覆材の切り込み部分を押し広げるように構成されていてもよい。この場合には、ガイドカバー及びガイド板も上部回転刃側に設けられているのがよい。
【符号の説明】
【００４２】
１  ケーブル被覆材分離装置
１２  上部回転刃
１４  下部回転刃
３２  さばき部
３４  ガイドバー
３６  ガイドカバー
３８  ガイド板
３９  ガイドローラ
Ｃ  ケーブル
Ｘ  銅線
Ｙ  被覆材
【図１】
2016127689.tif 000003
【図２】
2016127689.tif 000004
【図３】
2016127689.tif 000005
【図４】
2016127689.tif 000006
【図５】
2016127689.tif 000007
【図６】
2016127689.tif 000008
【図７】
2016127689.tif 000009